(57)【要約】【課題】  基板の厚み方向に複数のグラデーション部を形成する場合であっても、表示品位が低下する虞のない表示板を提供する。【解決手段】  光透過性の基板５６と、この基板５６の一方の面５６ａに形成される第１のグラデーション部５３と、この第１のグラデーション部５３の表面に形成される第２のグラデーション部５４とを備え、第１のグラデーション部５３は、第１の位置Ｐ１から放射方向に向けてドットの開口密度が漸次減少してなり、第２のグラデーション部５４は、第２の位置Ｐ２から放射方向に向けてドットの開口密度が漸次減少してなるとともに、基板５６の厚み方向Ｚにおいて第１のグラデーション部５３の一部と重なっており、ドット重合領域Ｓにおいて、第１のグラデーション部５３のドットの開口密度が、第２のグラデーション部５４のドットの開口密度よりも小さい。【選択図】図３
2014035538.tif 000002
【特許請求の範囲】
【請求項１】
光透過性の基板と、
前記基板の観察者側を向く一方の面に形成される第１のグラデーション部と、
前記第１のグラデーション部の表面に形成される第２のグラデーション部とを備え、
前記第１のグラデーション部は、第１の位置を基準として前記第１の位置から放射方向に向けてドットの開口密度が漸次減少してなり、
前記第２のグラデーション部は、前記第１の位置とは異なる第２の位置から放射方向に向けてドットの開口密度が漸次減少してなるとともに、前記基板の厚み方向において前記第１のグラデーション部の一部と重なっており、
前記第１のグラデーション部と前記第２のグラデーション部とが重なり合うドット重合領域において、前記第１のグラデーション部のドットの開口密度が、前記第２のグラデーション部のドットの開口密度よりも小さいことを特徴とする表示板。
【請求項２】
光透過性の基板と、
前記基板の観察者側とは反対側となる他方の面に形成される第１のグラデーション部と、
前記基板と第１のグラデーション部との間に形成される第２のグラデーション部とを備え、
前記第１のグラデーション部は、第１の位置を基準として前記第１の位置から放射方向に向けてドットの開口密度が漸次減少してなり、
前記第２のグラデーション部は、前記第１の位置とは異なる第２の位置から放射方向に向けてドットの開口密度が漸次減少してなるとともに、前記基板の厚み方向において前記第１のグラデーション部の一部と重なっており、
前記第１のグラデーション部と前記第２のグラデーション部とが重なり合うドット重合領域において、前記第１のグラデーション部のドットの開口密度が、前記第２のグラデーション部のドットの開口密度よりも小さいことを特徴とする表示板。
【請求項３】
前記第１のグラデーション部のドットの開口密度は、前記第１の位置から放射方向に向けて従って５０％から０％となるように漸次減少してなるとともに、前記第２のグラデーション部のドットの開口密度は、前記第１の位置よりも外側に位置する前記第２の位置から放射方向に向けて１００％から５０％となるように漸次減少してなることを特徴とする請求項１または請求項２記載の表示板。
【請求項４】
前記ドット重合領域において、前記第１のグラデーション部のドットの開口密度は１０％以下であり、前記第２のグラデーション部のドットの開口密度は９０％以上であることを特徴とする請求項１から請求項３のうち何れか１つに記載の表示板。
【発明の詳細な説明】
【技術分野】
【０００１】
本発明は、光透過性の基板に複数のグラデーション部が形成されてなる表示板に関するものである。
【背景技術】
【０００２】
従来より、この種の表示板にあっては、例えば下記特許文献１に記載されているものが知られている。この特許文献１に記載の表示板は、光透過性の基板の表面に網点（ドット）により明るさ（ドット開口密度）が徐々に変化するグラデーション状にスクリーン印刷してなる第１のグラデーション部が形成されてなるとともに、光透過性の基板の背面に網点（ドット）により明るさ（ドット開口密度）が徐々に変化するグラデーション状にスクリーン印刷してなる第２のグラデーション部が形成されてなるものである。
【先行技術文献】
【特許文献】
【０００３】
【特許文献１】特開２００５−３１６３４号公報
【発明の概要】
【発明が解決しようとする課題】
【０００４】
上述した特許文献１に記載の表示板の場合、基板の厚み方向において、第１のグラデーション部におけるドット開口密度の小さい領域と、第２のグラデーション部におけるドット開口密度の小さい領域とが重なってしまうことが考えられる。このとき、印刷ズレによって両グラデーション部におけるドットパターン同士が位置ズレすると、積層関係にある各ドットパターン間の干渉効果（モアレ効果）によってモアレ模様が発生し、表示品位が低下する虞がある。
そこで本発明は、前述の課題に対して対処するため、基板の厚み方向に複数のグラデーション部を形成する場合であっても、表示品位が低下する虞のない表示板の提供を目的とするものである。
【課題を解決するための手段】
【０００５】
本発明は、光透過性の基板と、前記基板の観察者側を向く一方の面に形成される第１のグラデーション部と、前記第１のグラデーション部の表面に形成される第２のグラデーション部とを備え、前記第１のグラデーション部は、第１の位置を基準として前記第１の位置から放射方向に向けてドットの開口密度が漸次減少してなり、前記第２のグラデーション部は、前記第１の位置とは異なる第２の位置から放射方向に向けてドットの開口密度が漸次減少してなるとともに、前記基板の厚み方向において前記第１のグラデーション部の一部と重なっており、前記第１のグラデーション部と前記第２のグラデーション部とが重なり合うドット重合領域において、前記第１のグラデーション部のドットの開口密度が、前記第２のグラデーション部のドットの開口密度よりも小さいことを特徴とする。
【０００６】
また本発明は、光透過性の基板と、前記基板の観察者側とは反対側となる他方の面に形成される第１のグラデーション部と、前記基板と第１のグラデーション部との間に形成される第２のグラデーション部とを備え、前記第１のグラデーション部は、第１の位置を基準として前記第１の位置から放射方向に向けてドットの開口密度が漸次減少してなり、前記第２のグラデーション部は、前記第１の位置とは異なる第２の位置から放射方向に向けてドットの開口密度が漸次減少してなるとともに、前記基板の厚み方向において前記第１のグラデーション部の一部と重なっており、前記第１のグラデーション部と前記第２のグラデーション部とが重なり合うドット重合領域において、前記第１のグラデーション部のドットの開口密度が、前記第２のグラデーション部のドットの開口密度よりも小さいことを特徴とする。
【０００７】
また本発明は、前記第１のグラデーション部のドットの開口密度は、前記第１の位置から放射方向に向けて従って５０％から０％となるように漸次減少してなるとともに、前記第２のグラデーション部のドットの開口密度は、前記第１の位置よりも外側に位置する前記第２の位置から放射方向に向けて１００％から５０％となるように漸次減少してなることを特徴とする。
【０００８】
また本発明は、前記ドット重合領域において、前記第１のグラデーション部のドットの開口密度は１０％以下であり、前記第２のグラデーション部のドットの開口密度は９０％以上であることを特徴とする。
【発明の効果】
【０００９】
本発明によれば、初期の目的を達成でき、基板の厚み方向に複数のグラデーション部を形成する場合であっても、表示品位が低下する虞のない表示板を提供できる。
【図面の簡単な説明】
【００１０】
【図１】本発明の実施形態による車両用計器の断面図。
【図２】同実施形態による表示板の正面図。
【図３】図２のＡ−Ａ断面図。
【図４】同実施形態による第１、第２のグラデーション部を個別に示す図。
【発明を実施するための形態】
【００１１】
以下、図１〜図４に基づいて、本発明の実施形態を例えば車両用計器（速度計）に搭載される計器用の表示板に適用した場合を例に挙げて説明する。
【００１２】
図１において、本実施形態による速度計は、回路基板１０と、この回路基板１０に導通装着され回転軸２０が前方に延びる駆動装置３０と、回転軸２０にて回転駆動される指針４０と、この指針４０の背後に位置して回路基板１０上に配置される表示板５０と、指針４０や表示板５０を露出させるための見返し板６０と、指針４０を照明する指針用光源７０と、表示板５０を照明する光源８０と、回路基板１０と表示板５０との間に配置されるケース体９０とから構成される。
【００１３】
回路基板１０は、例えばガラスエポキシ系基材に配線パターン（図示せず）を施した硬質配線基板からなり、指針用光源７０と、光源８０と、駆動装置３０の駆動・制御を行う駆動手段（図示せず）と、抵抗、コンデンサ等の各種回路部品（図示せず）とが前記配線パターンに導通接続されている。
【００１４】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１５】
指針４０は、透光性の合成樹脂からなり、回転軸２０の先端に連結され、その回転中心部には遮光性カバーが装着されている。そして、この指針４０は指針用光源７０からの照明光を受けて発光する発光式指針である。
【００１６】
表示板５０は、図２に示すように、指針４０の回転軌道（作動範囲）に沿った円弧状の配列形状を有し指針４０によって指示される速度数字５１ａ、速度目盛５１ｂからなる指標部５１と、この指標部５１の背景を形成するグラデーション模様からなるグラデーション領域５２とを有している。
【００１７】
そして、本例の場合、グラデーション領域５２は、第１のグラデーション部としての第１のグラデーション層５３と、第２のグラデーション部としての第２のグラデーション５４層と、下地層５５との三者によって形成されるものである。
【００１８】
図３は、各グラデーション層５３、５４、下地層５５の積層関係を示した表示板５０の要部断面図を示したものであり、この場合、表示板５０の母材である光透過性の基板５６の表面に下地層５５が印刷形成され、この下地層５５の表面（つまり下地層５５を介した基板５６の表面側）に第１のグラデーション層５３が印刷形成され、この第１のグラデーション層５３の表面に第２のグラデーション５４層が印刷形成された構成となっている。なお、ここでの基板５６の表面（表面側）とは、指針４０側（つまり観察者側）を向く基板５５の一方の面５６ａを意味する。
【００１９】
また、各グラデーション層５３、５４、下地層５５は、第１のグラデーション層５３が例えばブルー系の透光性インクにより、第２のグラデーション層５４が例えば濃紺系の透光性インクにより、下地層５５が例えば白色系の透光性インクにより、それぞれ基板５６の表面（一方の面５６ａ）に印刷形成されている。
【００２０】
第１のグラデーション層５３は、図４（図３）中、第１の位置Ｐ１を基準として第１の位置Ｐ１から放射方向（速度目盛５１ｂ側）に向けてドットの開口密度が漸次減少してなるドット密度変化領域５３ａと、ドットの開口密度が０％の領域（ベタ印刷領域）であって、ドット密度変化領域５３ａと連なるようにドット密度変化領域５３ａの外側に形成される着色領域５３ｂとを有している。なお、ここでの第１の位置Ｐ１とは、回転軸２０が貫通するように表示板５０の中心部に設けられる円形の貫通孔部５７の内周面に相当する位置となっている。
【００２１】
そして、第１のグラデーション層５３に備えられるドット密度変化領域５３ａのドットの開口密度は、第１の位置Ｐ１から放射方向（速度目盛５１ｂ側）に向けて従って５０％から０％となるように漸次減少している。
【００２２】
具体的には、第１の位置Ｐ１でのドットの開口密度は５０％であって、第１の位置Ｐ１から速度目盛５１ｂ側に向かうに従ってドットの開口密度が漸次減少し、第１のグラデーション層５３と第２のグラデーション層５４とが重なり合うドット重合領域Ｓにおいて、ドット重合領域Ｓの外側となるベタ印刷開始位置Ｑにてドットの開口密度が０％となるように設定されている。
【００２３】
一方、第２のグラデーション５４層は、第１の位置Ｐ１とは異なる第２の位置Ｐ２から放射方向（速度目盛５１ｂ側）に向けてドットの開口密度が漸次減少してなるものである。なお、ここでの第２の位置Ｐ２とは、第１の位置Ｐ１よりも外側であって、且つ、ドット重合領域Ｓにおいて、ベタ印刷開始位置Ｑとは反対側となるドット重合領域Ｓの内側に相当する位置となっている。
【００２４】
そして、第２のグラデーション層５４のドットの開口密度は、第１の位置Ｐ１よりも外側に位置する第２の位置Ｐ２から放射方向（速度目盛５１ｂ側）に向けて１００％から５０％となるように漸次減少してなるものである。
【００２５】
具体的には、第２の位置Ｐ２でのドットの開口密度は１００％であって、第２の位置Ｐ２から速度目盛５１ｂ側に向かうに従ってドットの開口密度が漸次減少し、表示板５０の周縁部分にてドットの開口密度が５０％となるように設定されている。
【００２６】
ここで、観察者側から表示板５０を見たときの第１のグラデーション層５３と第２のグラデーション５４層との位置関係に着目すると、第２のグラデーション５４層は、図３に示すように基板５６の厚み方向Ｚにおいて、第１のグラデーション層５３の一部（具体的にはドット密度変化領域５３ａの一部及び着色領域５３ｂ）と重なるように、第１のグラデーション層５３の表面に積層形成されている。
【００２７】
特に、本例の場合、ドット重合領域Ｓにおいて、ドット密度変化領域５３ａ（第１のグラデーション層５３）のドットの開口密度が、第２のグラデーション層５４のドットの開口密度よりも小さくなるように設定されており、より具体的には、ドット重合領域Ｓにおいて、第１のグラデーション層５３におけるドット密度変化領域５３ａのドットの開口密度は０％〜１０％程度（１０％以下）となっており、第２のグラデーション層５４のドットの開口密度は９０％〜１００％程度（９０％以上）となっている。
【００２８】
従って、図４に示すようにドット重合領域Ｓにて、積層形成される２つのグラデーション層のうち上側に位置する一方のグラデーション層（本例の場合、各グラデーション層５３、５４のうち上側に位置する第２のグラデーション層５４）の濃淡は比較的淡い状態であり、これとは逆に他方のグラデーション層（本例の場合、各グラデーション層５３、５４のうち下側に位置する第１のグラデーション層５３）の濃淡は比較的濃い状態であることから、印刷ズレによって例えば第２のグラデーション層５４が位置ズレしたとしても、モアレ模様の発生が極力抑制され、貫通孔部５７から放射方向に向かうに従って滑らかなグラデーション表示を実現することができる。
【００２９】
見返し板６０は、指針４０や指標部５１を露出し、それ以外の所要領域を隠蔽するものである。かかる見返し板６０は、指針４０や指標部５１を露出させるための開口部６１を備えている。
【００３０】
指針用光源７０は、例えば赤色光を発するチップ型発光ダイオードからなり、指針４０の回転中心近傍に複数個配置され、ケース体９０の後述する筒状部内に収納され指針４０を赤色に発光させる発光体である。
【００３１】
光源８０は、例えば白色光を発するチップ型発光ダイオードからなり、表示板５０の背後に配置されている。この場合、光源８０は、ケース体９０の後述する第１の反射部に対向配置され、表示板５０に照明光を供給する発光体である。
【００３２】
ケース体９０は、例えば白色系の合成樹脂からなり、表示板５０を保持する保持体としての機能、指針用光源７０や光源８０を収納するハウジングとしての機能、指針用光源７０や光源８０のから照明光を前方側に反射させる反射体としての機能を有している。
【００３３】
かかるケース体９０は、指針用光源７０を収納し指針４０の前記回転中心部に指針用光源７０からの照明光を供給するための筒状部１０１と、この筒状部１０１を取り巻くように表示板５０側に傾斜して延び光源８０と対向する第１の反射部９２と、この第１の反射部９２と表示板５０とに対向し回転軸２０から離れるに従って表示板５０に近接する皿形状の環状壁からなる第２の反射部９３とを有している。
【００３４】
また、この場合、第１の反射部９２は光源８０からの照明光を主に外周に向けて放射状に反射する反射面を構成し、第２の反射部９３は第１の反射部９２を通じて外周に反射された照明光を表示板５０側に反射する反射面を構成している。
【００３５】
以上のように、本実施形態では、速度計に備えられる表示板５０が、光透過性の基板５６と、この基板５６の観察者側を向く一方の面５６ａに形成される第１のグラデーション層５３と、この第１のグラデーション層５３の表面に形成される第２のグラデーション層５４とを備え、第１のグラデーション層５３は、第１の位置Ｐ１から放射方向に向けてドットの開口密度が漸次減少してなり、第２のグラデーション層５４は、第２の位置Ｐ２から放射方向に向けてドットの開口密度が漸次減少してなるとともに、基板５６の厚み方向Ｚにおいて第１のグラデーション層５３の一部と重なっており、ドット重合領域Ｓにおいて、第１のグラデーション層５３のドットの開口密度が、第２のグラデーション層５４のドットの開口密度よりも小さいものである。また、ドット重合領域Ｓにおいて、第１のグラデーション層５３のドットの開口密度は１０％以下となっており、第２のグラデーション層５４のドットの開口密度は９０％以上となっているものである。
【００３６】
従って、ドット重合領域Ｓにて、各グラデーション層５３、５４のうち上側に位置する第２のグラデーション層５４の濃淡は比較的淡い状態であり、これとは逆に各グラデーション層５３、５４のうち下側に位置する第１のグラデーション層５３の濃淡は比較的濃い状態であることから、印刷ズレによって例えば第２のグラデーション層５４が位置ズレしたとしても、モアレ模様の発生が極力抑制され、表示品位の向上した表示板を提供することができる。
【００３７】
また本実施形態では、各グラデーション層５３、５４並びに下地層５５が観察者側となる基板５６の表面（一方の面５６ａ）に形成されている例について説明したが、例えば各グラデーション層５３、５４並びに下地層５５を観察者側とは反対側となる基板５６の背面（つまり一方の面５６ａとは反対側となる基板５６の他方の面）に設ける構成としてもよい。
【００３８】
なお、この場合、第１のグラデーション層５３は、基板５６の観察者側とは反対側となる前記他方の面側に形成されるとともに、第２のグラデーション層５４は、基板５６と第１のグラデーション部５３との間に形成され、基板５６の厚み方向Ｚにおいて、第２のグラデーション部５４はドット密度変化領域５３ａの一部、及び着色領域５３ｂに重なるように基板５６と第１のグラデーション部５３との間に形成される構成となる。
【符号の説明】
【００３９】
５０    表示板
５１    指標部
５２    グラデーション領域
５３    第１のグラデーション層（第１のグラデーション部）
５３ａ  ドット密度変化領域
５３ｂ  着色領域
５４    第２のグラデーション層（第２のグラデーション部）
５５    下地層
５６    基板
５６ａ  一方の面
５７    貫通孔部
Ｐ１    第１の位置
Ｐ２    第２の位置
Ｓ    ドット重合領域
【図１】
2014035538.tif 000003
【図２】
2014035538.tif 000004
【図３】
2014035538.tif 000005
【図４】
2014035538.tif 000006